(57)【特許請求の範囲】
【請求項１】
容器本体と一体化される筒状の肩カバー体と、
前記肩カバー体の中を上下動して噴射内容物への弁作用を呈するステムと、
前記ステムに取外し可能な形で取り付けられて作動モードおよび連続作動モードを選択的に設定するための押下げタイプの操作部とからなり、
前記肩カバー体は、
その内周面の第１の周方向位置に形成されて、作動モード設定操作時の前記操作部を案内する第１の案内部と、
当該内周面の当該第１の周方向位置とは異なる第２の周方向位置に形成されて、連続作動モード設定の際の前記操作部を案内する第２の案内部と、
当該第２の案内部の下側内周面に形成されて、前記操作部を連続作動モード位置に係合保持する係合部と、
当該係合部の周方向両側の内周面に形成されて、
当該係合部に係合状態の当該操作部が、第１の周方向に回動して当該係合状態から脱して上方向に移動した後、当該第１の周方向とは逆の第２の周方向に回動することにより当該係合部の上方の当該第２の案内部に復帰するための内周面凹状空間域と、を備え、
前記操作部は、
前記ステムに取り付けられたときの前記肩カバー体に対する回動位置の違いにより、前記第１の案内部または前記第２の案内部に選択的に案内され、かつ、当該第２の案内部に案内されながら所定位置まで下動することにより、
前記係合部に係合保持される被案内係合部を備えている、
ことを特徴とする連続作動モード設定機構。
【請求項２】
前記被案内係合部は、
前記係合部を乗り越えた所定位置まで下動して当該係合部に係合保持される態様のものである、
ことを特徴とする請求項１記載の連続作動モード設定機構。
【請求項３】
前記第１の案内部および前記第２の案内部はそれぞれ、
前記肩カバー体の上端部分から下方に形成された縦凹状部であり、
前記係合部は、
内方への下り傾斜により形成された上テーパ面および、当該上テーパ面の内端部分から前記下側内周面に向けて形成された底面を備えた、周方向の連続作動モード設定用凸状部であり、
前記被案内係合部は、
前記上テーパ面に対応する外方への上り傾斜により形成された下テーパ面および、当該下テーパ面の外端部分から前記操作部の外周面に向けて形成され、連続作動モード設定操作の際に前記底面と係合する上面を備えた、周方向のモード選択用凸状部である、
ことを特徴とする請求項２記載の連続作動モード設定機構。
【請求項４】
請求項１乃至３のいずれかに記載の連続作動モード設定機構を備え、かつ、噴射用ガスおよび内容物を収容した、
ことを特徴とするエアゾール式製品。
【発明の詳細な説明】
【技術分野】
【０００１】
本発明は、通常の作動モード設定操作可能な状態でステム側に取り付けられている操作部（噴射ボタン）を、いったん取り外した後、その正立状態のまま、肩カバー体に対する所定の新周方向位置関係で当該ステム側に再度取り付けてから押下げることにより、当該操作部が通常の作動モード位置と同様の下動位置に係合保持されて、連続作動モード（ガス抜きモード，内容物連続噴射モード）へと移行し、かつ、この係合保持状態の操作部の回動操作に基づいて連続作動モードが解除される、ようにした連続作動モード設定機構に関する。
【０００２】
本明細書では「連続作動モード」の語を、噴射ボタンが作動モードと同様の下動位置に強制的に保持されて、ガス，内容物などが連続噴射される状態を示す意で用いる。
【０００３】
なお、必要に応じてガスの連続噴射状態を「ガス抜きモード」といい、内容物の連続噴射状態を「内容物連続噴射モード」という。
【０００４】
また、「肩カバー体」の語を、作動モードおよび連続作動モードの際にも容器本体側のマウンティングキャップなどに取り付けられたままの状態に保持される、部材を示す意で用いる。
【０００５】
また、「ステム」の語を、弁作用を呈するステム本体に噴射ボタンとの間の接続部材などを取り付けた形のものも含む意で用いる。
【０００６】
また、前後上下の位置関係を、静止モードおよび作動モードにおける噴射孔側を「前」、それとは反対側を「後」とそれぞれ記し、噴射ボタン側を「上」、それとは反対の容器本体側を「下」とそれぞれ記す。
【０００７】
なお、エアゾール式製品の連続作動モードが設定された場合、容器内容物をまだ使い切っていないときは内容物連続噴射状態（内容物連続噴射モード）となり、容器内容物を略使い切っているときはガス抜き状態（ガス抜きモード）となる。
【０００８】
内容物連続噴射状態とガス抜き状態とはもっぱら用途上の違いにすぎず、エアゾール式製品の動作機構としては、これら各状態はともにアクチュエータ（噴射ボタン，ステムなど）がその作動位置に継続的に保持されているものである。すなわち当該各状態のそれぞれにおけるバルブ機構などの動作メカニズムの違いはない。
【背景技術】
【０００９】
従来、内容物を略消尽した後のエアゾール式製品の廃棄に先立って押下げタイプの噴射ボタンを回動操作することにより、当該噴射ボタンがガス抜きモード位置まで下動してその位置に係合保持される、ようにしたガス抜きモード設定機構が提案されている（特許文献１参照）。
【００１０】
このときのガス抜きモード設定操作は、ステムに取り付けられたままの押下げタイプの噴射ボタンに対しての静止モード位置からの回動操作である。
【００１１】
この回動操作にともない、噴射ボタンの被案内部分が、肩カバー体の下り傾斜の天井面に案内されながら下方に移動してその先の端面（平坦天井面）に係合保持される。
【先行技術文献】
【特許文献】
【００１２】
【特許文献１】特開２００３−１６５５８６号公報
【発明の概要】
【発明が解決しようとする課題】
【００１３】
このように従来の、押下げタイプの噴射ボタンの回動操作に基づいて作動するガス抜きモード設定機構の場合、その設定操作の方向はあくまで概略「横」であって、最終的に噴射ボタンを保持する部分も回動操作方向上側の平坦天井面となる。
【００１４】
すなわち、肩カバー体の下り傾斜の天井面に案内されながら略横方向に移動する噴射ボタンの被案内部分を、当該傾斜部分から連続した形の平坦天井面に当接させ、これにより当該噴射ボタンの上方向への静止モード復帰動作を阻止している。
【００１５】
また、ガス抜きモード設定用の回動操作はステムに取付けられたままの噴射ボタンに対して行われる。
【００１６】
そのため、ガス抜きモードの噴射ボタンに、ガス抜きモード設定の回動操作とは逆方向の不用意な力が加わったりすると、噴射ボタンの被案内部分が、本来の平坦天井面からその隣の傾斜天井面（このときの被案内部分からみると上り傾斜天井面）の方に移動して、操作ボタンのガス抜きモード位置への確実な保持を担保できない可能性が生じるという問題点があった。
【００１７】
この場合、隣の傾斜天井面へと移動した噴射ボタンは、その被案内部分が上り傾斜天井面に沿う形で上動してついには静止モード位置へと復帰し、ガス抜きモードは勿論中断される。
【００１８】
また、通常の作動モード設定仕様のまま、ガス抜きモード設定用の操作ボタン回動操作がおこなわれるようにしているので、操作ボタンの不用意な回動操作にともなうガス抜きの誤動作が生じ得るという問題点があった。
【００１９】
そこで本発明では連続作動モード設定機構を、
(11)押下げタイプの操作部をいったんステムから取り外して例えば肩カバー体の周方向に例えば９０度ほど回動させた状態、すなわち肩カバー体との間のいわば周方向位相を作動モードとは異なる状態にしてからステムに再度取り付け、
(12)この再取付け後の操作部を下動させることにより、当該操作部に形成した連続作動モード設定用の被係合部が肩カバー体の係合部に係合保持される、
態様の構成にしている。
【００２０】
これにより、操作部の回動操作をともなう連続作動モード設定後の当該操作部と肩カバー体との係合状態の確実化を図るとともに、当該連続作動モードの設定についての誤操作防止の十全化を図ることを目的とする。
【課題を解決するための手段】
【００２１】
本発明は、以上の課題を次のようにして解決する。
（１）容器本体（例えば後述の容器本体３）と一体化される筒状の肩カバー体（例えば後述の肩カバー体５）と、
前記肩カバー体の中を上下動して噴射内容物への弁作用を呈するステム（例えば後述のステム２）と、
前記ステムに取外し可能な形で取り付けられて作動モードおよび連続作動モードを選択的に設定するための押下げタイプの操作部（例えば後述の噴射ボタン１）と、
からなる連続作動モード設定機構において、
前記肩カバー体は、
その内周面の第１の周方向位置に形成されて、作動モード設定操作時の前記操作部を案内する第１の案内部（例えば後述の長縦凹状部５ｃ）と、
当該内周面の当該第１の周方向位置とは異なる第２の周方向位置に形成されて、連続作動モード設定の際の前記操作部を案内する第２の案内部（例えば後述の短縦凹状部５ｄ）と、
当該第２の案内部の下側内周面に形成されて、前記操作部を連続作動モード位置に係合保持する係合部（例えば後述のガス抜きモード設定用凸状部５ｅ）と、
当該係合部の周方向両側の内周面に形成されて、
当該係合部に係合状態の当該操作部が、第１の周方向に回動して当該係合状態から脱して上方向に移動した後、当該第１の周方向とは逆の第２の周方向に回動することにより当該係合部の上方の当該第２の案内部に復帰するための内周面凹状空間域（例えば後述の周方向切欠状部５ｈ）と、を備え、
前記操作部は、
前記ステムに取り付けられたときの前記肩カバー体に対する回動位置の違いにより、前記第１の案内部または前記第２の案内部に選択的に案内され、かつ、当該第２の案内部に案内されながら所定位置まで下動することにより、
前記係合部に係合保持される被案内係合部（例えば後述のモード選択用凸状部６ｃ）を備えている。
（２）上記（１）において、
前記被案内係合部は、
前記係合部を乗り越えた所定位置まで下動して当該係合部に係合保持される態様のものである。
（３）上記（２）において、
前記第１の案内部および前記第２の案内部はそれぞれ、
前記肩カバー体の上端部分から下方に形成された縦凹状部であり、
前記係合部は、
内方への下り傾斜により形成された上テーパ面（例えば後述の上テーパ面５ｆ）および、当該上テーパ面の内端部分から前記下側内周面に向けて形成された底面（例えば後述の底面５ｇ）を備えた、周方向の連続作動モード設定用凸状部であり、
前記被案内係合部は、
前記上テーパ面に対応する外方への上り傾斜により形成された下テーパ面（例えば後述の下テーパ面６ｄ）および、当該下テーパ面の外端部分から前記操作部の外周面に向けて形成され、連続作動モード設定操作の際に前記底面と係合する上面（例えば後述の上面６ｅ）を備えた、周方向のモード選択用凸状部である。
【００２２】
このような構成からなるエアゾール用カバー体および、当該カバー体を備えたエアゾール式製品を本発明の対象としている。
【発明の効果】
【００２３】
本発明は以上の課題解決手段により、
操作部の回動操作をともなう連続作動モードの設定後の当該操作部と肩カバー体との係合状態の確実化を図るとともに、当該連続作動モードの設定についての誤操作防止の十全化を図ることができる。
【図面の簡単な説明】
【００２４】
【図１】通常の作動モードが設定可能な静止モードを示している。
【図２】図１の噴射ボタンをステムから取り外して図示反時計方向に回動させたガス抜きモード設定の初期段階および、ガス抜きモードを解除する場合の噴射ボタンの操作方向を示している。
【図３】図２の初期段階の操作ボタンを再びステムに取り付けてから押し下げた状態のガス抜きモードを示している。
【発明を実施するための形態】
【００２５】
図１乃至図３を用いて本発明を実施するための最良の形態を説明する。
【００２６】
なお、上述したように本発明の連続作動モード設定機構における具体的な個々の動作態様は、ガス抜きモードまたは内容物連続噴射モードといえる。
【００２７】
以下の実施形態では、単なる説明の便宜上として、ガス抜きモードすなわち操作ボタンが通常の作動モード位置に係合保持された状態で容器本体の残留ガスが外部空間域に連続噴射されることを前提にする。
【００２８】
なお、以下のアルファベット付き参照番号の構成要素（例えば上端側開口部３ａ）は原則として、当該参照番号の数字部分の構成要素（例えば容器本体３）の一部であることを示している。
【００２９】
図１〜図３において、
１は作動モードおよびガス抜きモードを選択的に設定できる噴射ボタン（＝後述のガス抜きモード保持部６＋操作本体部７），
２は噴射ボタン１（操作本体部７）が取外し可能な形で取り付けられ、かつ、コイルスプリング（図示省略）の弾性力により上方向に付勢されて、周知のバルブ作用および噴射通路作用を呈するステム，
３は後述の内容物および噴射用ガスを収納したエアゾール式製品の周知の容器本体，
３ａは当該容器本体の上端側開口部，
４は容器本体３の上端側開口部３ａに例えば巻締め態様により取り付けられた周知のマウンティングキャップ，
４ａは当該マウンティングキャップの上端外側の縁部分に形成された周知のアンダーカット，
をそれぞれ示している。
【００３０】
また、
５はマウンティングキャップ４のアンダーカット４ａに嵌合状態で取り付けられて、ガス抜きモード設定機能を備えた筒状の肩カバー体，
５ａは当該肩カバー体を構成してその内外径がともに後述の下筒状部５ｂのそれぞれより小さく設定された上筒状部，
５ｂは上筒状部５ａから連続する形で当該肩カバー体を構成してその内外径がともに当該上筒状部のそれぞれより大きく設定された下筒状部，
５ｃは上筒状部５ａの内周面の１８０度離れた対向位置のそれぞれにその上端から下方に延びる態様で形成されて、作動モード設定時の噴射ボタン１の下動を可能にするための一対の長縦凹状部，
５ｄは長縦凹状部５ｃから９０度離れた内周面対向位置のそれぞれにその上端から下方に延びる態様で形成されて、ガス抜きモード設定時の噴射ボタン１の下動を可能にするための一対の短縦凹状部，
５ｅは一対の短縦凹状部５ｄからそれぞれ連続してその直下および直下両側の各内周面域に広がる周方向下凹状部の、当該直下の部分に形成されて、噴射ボタン１（後述のモード選択用凸状部６ｃ）をガス抜きモード位置に係合保持するための一対のガス抜きモード設定用凸状部，
５ｆはガス抜きモード設定用凸状部５ｅの上面側であって内方への下り傾斜態様により形成された上テーパ面，
５ｇは上テーパ面５ｆの下端（内端）部分から上筒状部５ａの内周面に向けて形成されたガス抜きモード係合作動用の底面，
５ｈは上記周方向下凹状部の、ガス抜きモード設定用凸状部５ｅそれぞれの両側内周面部分に設定され、ガス抜きモード解除の際に後述のモード選択用凸状部６ｃの復帰用空間域として作用する計四個の周方向切欠状部，
をそれぞれ示している。
【００３１】
また、
６は吊りゲート形態により肩カバー体５と一体成形されて噴射ボタン１の下側部分を構成し、ガス抜きモード設定機能を備えた環状のガス抜きモード保持部，
６ａは肩カバー体５との間の仮結合部，
６ｂは当該ガス抜きモード保持部と後述の操作本体部７との一体化に際しての案内用テーパ面とこれに続く嵌合用横平面とを備える態様で、上面部分周方向の１８０度離れた対向位置に形成された一対の起立片部，
６ｃは作動モード設定操作時には長縦凹状部５ｃに案内されながら下動し、また、ガス抜きモード設定操作時には短縦凹状部５ｄに案内されながらガス抜きモード設定用凸状部５ｅに係合保持される態様で、当該ガス抜きモード保持部の、各起立片部６ｂの周方向中間部分に相当する外周面位置のそれぞれに形成された一対のモード選択用凸状部，
６ｄはモード選択用凸状部６ｃの底面側であって、ガス抜きモード設定操作時に肩カバー体５（ガス抜きモード設定用凸状部５ｅ）の上テーパ面５ｇに案内される態様の、外方への上り傾斜により形成された下テーパ面，
６ｅはモード選択用凸状部６ｃの上面側であって、ガス抜きモード時に肩カバー体５（ガス抜きモード設定用凸状部５ｅ）の底面５ｇと係合する上面，
７はガス抜きモード保持部６と嵌合して噴射ボタン１の上側部分を構成する鞘状の操作本体部，
７ａは当該操作本体部の環状上面の、起立片部６ｂがそれぞれ入り込んで嵌合する位置に形成された一対の孔部，
７ｂは当該操作本体部に設定される周知の内容物通路の出力部としての噴射孔，
Ａはガス抜きモードを解除する際の噴射ボタン１の初期回動操作方向（図２参照），
をそれぞれ示している。
【００３２】
ここで、噴射ボタン１，肩カバー体５，ガス抜きモード保持部６および操作本体部７は例えばポリプロピレン，ポリエチレン，ポリアセタール，ナイロン，ポリブチレンテレフタレートなどからなるプラスチック製のものである。容器本体３やマウンティングキャップ４は例えば金属性のものである。ステム２は例えばプラスチック製または金属製のものである。
【００３３】
図示のガス抜きモード設定機構の基本的特徴は、
(21)肩カバー体５に、
・作動モード対応の長縦凹状部５ｃ
・ガス抜きモード対応の短縦凹状部５ｄおよびその直下のガス抜きモード設定用凸状部５ｅ
・ガス抜きモード解除対応の周方向切欠状部５ｈ
をそれぞれ形成し、
(22)噴射ボタン１のガス抜きモード保持部６にモード選択用凸状部６ｃを形成した、
ことである。
【００３４】
ここでガス抜きモード（図３参照）を設定する際、利用者は、
(31)先ず、モード選択用凸状部６ｃが長縦凹状部５ｃに設定された状態の静止モード（図１参照）の噴射ボタン１を、ステム２からいったん取り外してから周方向に（図示の場合は反時計方向に）９０度回動させた状態、すなわちモード選択用凸状部６ｃが肩カバー体５の短縦凹状部５ｄの上方に位置する状態に設定し（図２参照）、
(32)次に、この回動後の噴射ボタン１を、図２の実線矢印で示すように下動させながらステム２に取り付け、
(33)さらに、噴射ボタン１およびこれと一体のステム２を下方に押し込んで、当該噴射ボタン（ガス抜きモード保持部６）のモード選択用凸状部６ｃの上面６ｅをガス抜きモード設定用凸状部５ｅの底面５ｇに係合させる、
ことになる。
【００３５】
なお、上記(33)において、ガス抜きモード保持部６のモード選択用凸状部６ｃは、肩カバー体５のガス抜きモード設定用凸状部５ｅとの間で生じるテーパ面作用および弾性変形作用に基づいて、当該ガス抜きモード設定用凸状部を乗り越える。
【００３６】
このテーパ面作用は、モード選択用凸状部６ｃの下テーパ面６ｄとガス抜きモード設定用凸状部５ｅの上テーパ面５ｆとの当接によって生じる。
【００３７】
乗越え後のガス抜きモード設定用凸状部５ｅおよびモード選択用凸状部６ｃはともに初期形状に弾性復帰して、それぞれの底面５ｇと上面６ｅとの係合作用により保持される。
【００３８】
また、図３のガス抜きモードを解除する際、利用者は図２の点線矢印Ａで示すように、
(41)先ず、モード選択用凸状部６ｃの上面６ｅがガス抜きモード設定用凸状部５ｅの底面５ｇに係合保持された状態の噴射ボタン１を、図示Ａ方向またはその逆方向に回動して、当該噴射ボタンの上記(33)の係合状態を解除し、
(42)次に、この係合状態解除後、周知のステム付勢用コイルスプリングの弾性作用によりモード選択用凸状部６ｃの上面６ｅが周方向切欠状部５ｈの天井部分に当接する、噴射ボタン１を、上記(41)とは逆方向の短縦凹状部５ｄの方へと回動させ、
(43)次に、モード選択用凸状部６ｃの全体が短縦凹状部５ｄの位置まで移動した段階で、この回動操作を止めて、噴射ボタン１を、コイルスプリングの弾性力により上下方向初期位置へと復帰させる、
ことになる。
【００３９】
なお、周方向切欠状部５ｈの天井部分とガス抜きモード設定用凸状部５ｅの上テーパ面５ｆとの上下方向の位置関係は、上記(42)の回動操作の際にモード選択用凸状部６ｃが当該ガス抜きモード設定用凸状部の上方に移動できるように設定されている。
【００４０】
ここで再度、図１の静止モードを設定するには、上記(43)の状態の噴射ボタン１を、ステム２からいったん取り外して静止モードからガス抜きモードへの移行のときとは逆方向に９０度回動させた状態で、ステム２に取り付ければよい。
【００４１】
この９０度回動後の噴射ボタン１は、そのガス抜きモード保持部６のモード選択用凸状部６ｃが肩カバー体５の長縦凹状部５ｃの直上部分に位置する。
【００４２】
したがって、この９０度回動後の噴射ボタン１をそのまま下動させてステム２に取り付けると、噴射ボタン１，ステム２および肩カバー体５などはそれぞれ図１の静止モードと同じ位置関係に設定される。
【００４３】
なお、図示の噴射ボタン機構のように、容器本体１や肩カバー体５に対する噴射方向を特定する必要がないエアゾール式製品の場合、ステム２からいったん取り外した噴射ボタン１を、静止モードからガス抜きモードへの移行のときと同じ方向に９０度回動させた状態で当該ステムに取り付けてもよい。
【００４４】
図１の静止モードにおいては、
(51)ガス抜きモード保持部６のモード選択用凸状部６ｃが肩カバー体５の長縦凹状部５ｃに配設され、
(52)噴射ボタン１およびこれと一体のステム２が上記コイルスプリングの作用で上方向に駆動されて所定位置に保持され、
(53)ステム２の周知の弁作用部が閉状態に設定されている。
【００４５】
そして利用者がこの噴射ボタン１を押し下げることにより、通常のエアゾール式製品の場合と同じように、
(61)ステム２もコイルスプリングの上方向への弾性力に抗しながら下動して、それまで閉状態であった弁作用部が開状態へと変化し、
(62)容器本体３の内容物が、噴射ガスの作用で、ステム２および操作本体部７それぞれの内部通路を経て噴射孔７ｂから外部空間域に噴射される。
【００４６】
この噴射ボタン１の押下げ操作を止めると、ステム２およびこれと一体の噴射ボタン１がコイルスプリングの弾性作用により上方向に移動して、弁作用部が閉じた状態の静止モード（図１参照）に復帰する。
【００４７】
本発明の連続作動モード設定機構が図示の実施形態に限定されるものでないことは勿論であり、例えば、
(71)ガス抜きモード設定用凸状部５ｅを、その底面５ｇが上筒状部５ａの下端位置またはそれより下方位置となるように形成する、
(72)長縦凹状部５ｃ，短縦凹状部５ｄおよびモード選択用凸状部６ｃそれぞれの設定個数を「１」を含む任意の個数とする、
(73)噴射ボタン１を、ガス抜きモード保持部６と操作本体部７とを合体した態様の一部材として形成する（この場合、起立片部６ｂおよび孔部７ａは不要である）、
ようにしてもよい。
【００４８】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４９】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５１】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５２】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５３】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５４】
高分子化合物としては、メチルセルロース，ゼラチン，デンプン，カゼイン，ヒドロキシエチルセルロース，キサンタンガム，カルボキシビニルポリマーなどを用いる。
【００５５】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５６】
さらに、上記内容物以外の、懸濁剤，紫外線吸収剤，乳化剤，保湿剤，酸化防止剤、金属イオン封鎖剤なども用いることができる。
【００５７】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５８】
１：噴射ボタン（ガス抜きモード保持部６＋操作本体部７）
２：ステム
３：容器本体
３ａ：上端側開口部
４：マウンティングキャップ
４ａ：アンダーカット
５：肩カバー体
５ａ：上筒状部
５ｂ：下筒状部
５ｃ：一対の長縦凹状部
５ｄ：一対の短縦凹状部
５ｅ：一対のガス抜きモード設定用凸状部
５ｆ：上テーパ面
５ｇ：ガス抜きモード係合作動用の底面
５ｈ：周方向切欠状部
６：環状のガス抜きモード保持部
６ａ：仮結合部
６ｂ：一対の起立片部
６ｃ：一対のモード選択用凸状部
６ｄ：下テーパ面
６ｅ：上面
７：鞘状の操作本体部
７ａ：一対の孔部
７ｂ：噴射孔
Ａ：ガス抜きモードを解除する際の噴射ボタン１の初期回動操作方向（図２）
【図１】
0005587143.tif 000002
【図２】
0005587143.tif 000003
【図３】
0005587143.tif 000004